(57)【要約】      （修正有）【課題】五重塔をアルミなどの材料を用いて削り出して外観が凛とした印象を与えることが出来る置物を提供する。【解決手段】五重塔又は三重塔を金属や樹脂等の材質を用いて削り出しにて模った置物であり、屋根１ａ〜１ｅは稜線を有す円錐台形とし、下端には四角形の土台５を有し、上端には先が細く尖った先端２を形成し、各屋根の間には四角柱４ａ，４ｂ，４ｅにて繋いだことを特徴として切削加工した置物を形成する。【選択図】図１
0003164291.tif 000002
【実用新案登録請求の範囲】
【請求項１】
金属や樹脂などを材質として有名な建造物を模った置物であって、所定の大きさの材料を削り出しにて所定の形状に加工すると共に、該形状は複数の平坦面を主体をし、隣り合う面との稜線は丸みを形成することなく角張らせたことを特徴とする切削加工した置物。
【請求項２】
五重塔又は三重塔を金属や樹脂等の材質を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。
【請求項３】
日本及び世界の有名な建物を金属や樹脂等の材質を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。
【考案の詳細な説明】
【技術分野】
【０００１】
本考案はアルミや樹脂などの材料を切削加工して一体的に形成した置物に関するものである。
【背景技術】
【０００２】
一口に置物といっても、その種類は多種多様化している。材質にて大別すると、木製、金属製、樹脂製などがあり、又加工方法にて大別するならば鋳造、プレス加工、レーザー加工、彫刻などが一般的である。木製の置物は彫刻加工した物が多く、一方、金属製の置物では鋳造やプレス加工、又はレーザー加工される場合が多い。
【０００３】
ところで、ある置物を鋳造加工する場合には型が必要となる。ダイキャスト加工では金型が使用され、同一金型で数多くの置物を加工することが出来る。しかし、砂型の場合には溶融した金属を流し込んで硬化した後で該砂型は取り壊される為に、一つの置物ごとに砂型が必要となる。何れの場合でも型の製作コストがかかり、高価な置物となる。
【０００４】
これら置物が観光地でのお土産物として販売される場合であれば、高額な商品となれば差し控えられてしまうケースが多い。又、鋳造加工されたお土産物は製作コストの点を考慮して内部に巣が存在するといったように、品質が悪い場合も多く、その為に高い所から落下したり、又は転倒することで大きな衝撃が作用すれば破損することも多い。
【０００５】
一方、鋳造加工する場合、その商品は置物に限らず、所定の立体形状を成す角部は多少を問わず丸みが必要となる。これは鋳造に限らず樹脂を材質とした射出成形品の場合も同じであり、プレス成形品の場合も角部には丸みを有している。この丸みの存在が置物としての外観を損なうケースも多い。
【０００６】
実用新案登録第３１０７２６１号に係る「護持仏像」は、一般向けに供される護持仏像であっても、置物としての意味合いのみならず、宗教性、更には神秘性等の側面から奥深い意味付け（付加価値）を持たせている。
正規の仏像に対して全体の形態が略同一となるように縮小した形態を有する護持仏像を構成するに際して、一光三尊形式の正規の仏像に対して形態が略同一となるように縮小した形態を有し、かつ中央に配する本尊像部の像高を略５．４〔ｃｍ〕の大きさに選定する。この場合、護持仏像は、金属の鋳造により成型した一又は二以上の部品により一体に又は組付けて構成し、外表面にメッキを施している。
【０００７】
上記のような仏像の置物であれば、各部位に丸みを持たせて鋳造加工する方が適しているが、鋳造用の型が必要であることから、ある程度の個数を製作しなくてはコスト高となってしまう。
【特許文献１】実用新案登録第３１０７２６１号に係る「護持仏像」
【考案の開示】
【考案が解決しようとする課題】
【０００８】
このように、従来の置物には上記のごとき問題がある。本考案が解決しようとする課題はこの問題点であり、品質的にも高く、しかも小ロッドであってもコストアップとならないようにした切削加工した置物を提供する。
【課題を解決するための手段】
【０００９】
本考案に係る置物はブロック状の塊を切削加工によって製作したものである。上記ブロック状の塊の材質としては一般にアルミニウムや樹脂が適しているが，限定するものではない。そして、置物は全体が削り出して一体化しており、複数の切削部品を繋ぎ合わせて構成したものではない。
【００１０】
本発明の削り出しされた置物は複数の平坦面にて構成された形状とし、隣り合う平坦面の境界と成る稜線は角張っている。すなわち、丸みを有す曲面にて繋がっておらず、外観は凛とした印象を与えることが出来る。勿論、一部に曲面を形成することは自由である。又、削り出した表面にメッキを施したり、塗装する場合もある。
【考案の効果】
【００１１】
本考案に係る置物は切削加工によって製作される。その為に、成形用の型は必要とされず、小ロッドであっても十分対応可能であり、切削工程をコンピュータによって制御することで全数を高精度で均一に加工することが出来る。勿論、置物の材質に左右されることなくあらゆる置物を製作することが可能と成る。そして、切削加工である為に工具を使い分けるならば、込み入った形状であっても加工することが可能と成る。
【００１２】
例えば、角張った凸部や角張った凹部を有す形状の置物であっても、非常に小さくて細かい部位であっても何ら問題なく加工することが出来る。そして、平坦面を主体とした形状であり、各平坦面との境界は角張った稜線が形成されている為に、外観は凛とした印象を与えて高級感が得られる。一方、鋳造品に比べて金属の塊を切削加工する為に内部に巣が発生することはなく、その強度は高くて落下したり転倒しても破損することは極めて少ない。
【図面の簡単な説明】
【００１３】
【図１】五重塔を模ったアルミ製の置物。
【図２】銀閣寺を模ったアルミ製の置物。
【考案を実施するための形態】
【００１４】
図１は本考案に係る置物を示す実施例であり、同図の置物は五重塔を模っている。この五重塔は屋根１ａ，１ｂ，１ｃ・・・を５層構造とした形態を成し、その材質はアルミ製と成っている。勿論、アルミに限定するものではないが、比重の小さいアルミ製の置物は軽くて扱い易く、仮に高所から落下したり、転倒した場合であっても破損したり、又は床面がキズ付きにくいといった利点がある。そして、落下して足の上に落ちた際の怪我も抑制される。
【００１５】
ところで、同図に示す五重塔の屋根１ａ，１ｂ，１ｃ・・・は四角錐台形を形成し、最上端には先細りで延びる多角錐が設けられて先端２は尖っている。四角錐台形を成す各屋根１ａ，１ｂ，１ｃ・・・の稜線３，３・・・は丸みを形成することなく角張っていて、各屋根１ａ，１ｂ，１ｃ・・・は間に四角柱４ａ，４ｂ，４ｃ・・・によって繋がれている。そして、土台５は四角形盤と成っていて、この土台５の上に四角柱４ａ，４ｂ，４ｃ・・・と四角錐台形の屋根１ａ，１ｂ，１ｃ・・・が交互に積み重なって上方へ延びている。
【００１６】
図１に示す五重塔はほぼ全ての面が平坦面で構成し、丸みを形成した曲面は有していない。ところで、同図に示す五重塔を樹脂を材質として金型にて射出成形することは容易でない。成形する場合にはその金型は非常に複雑化し、しかも先端２のように細く尖っている部位の成形は困難である。又、樹脂の種類によっては、各屋根１ａ，１ｂ，１ｃ・・・のコーナー部が角張って成形されない場合もある。そして、各屋根１ａ，１ｂ，１ｃ・・・の間に形成している四角柱４ａ，４ｂ，４ｃ・・・の角張ったコーナーの成形も容易でない。
【００１７】
一方、金属（例えばアルミ）を溶かして型に流し込む鋳造の場合のその成型型は複雑化する。そして、材料としての樹脂を使用しての射出成形の場合以上に角部や細く尖っている先端２の成型は困難となる。本発明の置物は切削加工されることで、細部、角張ったコーナー部、尖った先端２を作ることが出来、リビングや床の間の置物として最適となる。
【００１８】
先端２、屋根１ａ，１ｂ，１ｃ・・・の稜線３，３・・・、屋根１ａ，１ｂ，１ｃ・・・の各角部に僅かな丸みが存在するならば、五重塔を模った置物の凛とした存在感が損なわれる。
【００１９】
図２は本考案に係る置物を示す他の実施例であり、銀閣寺を模っている。そこで、屋根６ａ，６ｂは２重構造とし、上端７は同じく先を細くして尖っている。土台８は四角形盤として、その上に四角柱９ａが延び、屋根６ａは四角柱９ａの上に形成され、そして屋根６ａの上には四角柱９ｂが繋がり、更に屋根６ｂが上に設けられている。上端７は屋根６ｂの上から延びている。
【００２０】
ところで、この銀閣寺を模った置物の場合も、屋根６ａ，６ｂ、四角柱９ａ，９ｂ、土台８、及び先端７は全て丸みを有す曲面ではなく平坦面で形成され、その為に、角張った複数のコーナー部を有している。すなわち、同図に示す銀閣寺の屋根６ａ，６ｂは四角錐台形を形成し、最上端には先細りで延びる多角錐が設けられて先端７は尖っている。四角錐台形を成す各屋根６ａ，６ｂの稜線３，３・・・は丸みを形成することなく角張っている。
【００２１】
この銀閣寺の置物もアルミ製としているが、樹脂を材質として削り出しすることも可能である。同じ樹脂であっても、射出成形した銀閣寺の置物と削り出しされた銀閣寺の置物ではその外観から受ける感性が異なり、削り出すことで置物として高級感が得られると共に、凛とした存在感を感じ取ることが出来る。
【００２２】
ところで、金属や樹脂を材質とすることは一般的であるが、ガラスを材料として削り出すことも可能である。例えば、図２に示す銀閣寺をガラスの塊から所定の形状に切削加工することで、ガラスの高級感と切削加工に基ずく感性がマッチして、置物として存在感とその価値が向上することに成る。
【００２３】
そして、図１、図２に示す置物の場合、アルミを切削しただけの状態であってもその表面は美しいが、メッキを施すことが出来る。特に金メッキすることで五重塔はよりインパクトの強い置物となる。そして、銀閣寺の場合には銀メッキ、金閣寺の場合には金メッキが適している。
【符号の説明】
【００２４】
１  屋根
２  先端
３  稜線
４  四角柱
５  土台
６  屋根
７  先端
８  土台
９  四角柱
【図１】
0003164291.tif 000003
【図２】
0003164291.tif 000004
【手続補正書】
【提出日】平成22年6月24日(2010.6.24)
【手続補正１】
【補正対象書類名】実用新案登録請求の範囲
【補正対象項目名】全文
【補正方法】変更
【補正の内容】
【実用新案登録請求の範囲】
【請求項１】
金属や樹脂を材質として有名な建造物を模った置物であって、所定の大きさの材料を削り出しにて所定の形状に加工すると共に、該形状は複数の平坦面を有し、隣り合う面との稜線は丸みを形成することなく角張らせたことを特徴とする切削加工した置物。
【請求項２】
五重塔又は三重塔を金属や樹脂を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。
【請求項３】
日本及び世界の有名な建物を金属や樹脂を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。
【手続補正書】
【提出日】平成22年9月29日(2010.9.29)
【手続補正１】
【補正対象書類名】実用新案登録請求の範囲
【補正対象項目名】全文
【補正方法】変更
【補正の内容】
【実用新案登録請求の範囲】
【請求項１】
五重塔又は三重塔を金属や樹脂等の材質を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。
【請求項２】
日本及び世界の有名な建物を金属や樹脂等の材質を用いて削り出しにて模った置物であり、屋根は稜線を有す円錐台形とし、下端には四角形の土台を有し、上端には先が細く尖った先端を形成し、各屋根の間には四角柱にて繋いだことを特徴とした切削加工した置物。